(57)【要約】【課題】      散水孔の位置決めを容易にすると共に、散水孔の詰まりが軽減された散水管及びその散水管を繋ぐための継手を提供する。【解決手段】  散水孔３が形成された散水管１は、管外面に平面部分２を有し、平面部分２に散水孔３が形成されている。加えて、この散水管１では、散水孔３が形成された位置の管内面は内側に向かって突出形状であり、散水孔３の管内面側の開口３ａが突出形状部分５に形成されている。【選択図】  図２
2016021896.tif 000002
【特許請求の範囲】
【請求項１】
散水孔が形成された散水管であって、
管外面に平面部分を有し、当該平面部分に前記散水孔が形成された散水管。
【請求項２】
前記散水孔が形成された位置の管内面は内側に向かって突出形状であり、前記散水孔の管内面側の開口が前記突出形状の部分に形成されていることを特徴とする、請求項１記載の散水管。
【請求項３】
請求項１又は２の散水管と円形のパイプ管とを繋ぐ継手。
【請求項４】
請求項１又は２の散水管同士を繋ぐ継手。
【発明の詳細な説明】
【技術分野】
【０００１】
本発明は、散水管及び継手に関し、農業施設等で用いられる散水設備における散水管及び継手に関する。
【背景技術】
【０００２】
例えば、農業ハウス等の農業施設では、特許文献１に記載のように、散水設備が用いられている。
【０００３】
このような農業ハウスでの散水設備は、複数の散水管が継手により連結されて配管されている。そして、その配管された一方には水抜き弁があり、配管された他方にはエア抜き弁があり、エア抜き弁側からポンプで水が供給されて、散水が行われる。
この場合、散水管及び継手は円形のパイプ形状のものが使われており、所定の間隔をあけて散水孔が形成されている。
【先行技術文献】
【特許文献】
【０００４】
【特許文献１】特開２０１２−２０５５１０号公報
【発明の概要】
【発明が解決しようとする課題】
【０００５】
しかしながら、円形のパイプ状の散水管では、継手で繋いで配管していく際に、散水孔の位置決めが難しいという問題があった。すなわち、散水管が円形であることから、散水孔を最下端に揃えていくなどを行おうとしても、最下端という位置決めが要求される結果、その最下端から左右にずれてしまうと、散水が予定されたエリアで行われないということになることがあった。また、内部も円形ということからすればゴミ、カス等が最下点に沈殿していく結果、散水孔からの水の出方が悪くなることもあり、さらは完全に詰まってしまう場合だけでなく、部分的な詰まりであっても予定された当初のエリアに散水ができなくなってしまう等の問題も生じていた。
【０００６】
ゆえに、本発明は、散水孔の位置決めを容易にすると共に、散水孔の詰まりが軽減された散水管及びその散水管を繋ぐための継手を提供することを目的とする。
【課題を解決するための手段】
【０００７】
第１の観点の発明は、散水孔が形成された散水管であって、管外面に平面部分を有し、当該平面部分に前記散水孔が形成されたものである。
【０００８】
第２の観点の発明は、第１の観点において、前記散水孔が形成された位置の管内面は内側に向かって突出形状であり、前記散水孔の管内面側の開口が前記突出形状の部分に形成されていることを特徴とするものである。
【０００９】
第３の観点の発明は、第１又は第２の観点の散水管と円形のパイプ管とを繋ぐ継手である。
【００１０】
第４の観点の発明は、第１又は第２の観点の散水管同士を繋ぐ継手である。
【発明の効果】
【００１１】
このような発明によれば、散水孔の位置決めについて、最下点を用いる場合よりも容易な平面部分を用いることで適切な位置決めを行える。そして、複数の散水管を継手で繋いで配管していく場合に、散水管の平面部分を合わせていけば、散水孔を適切な位置に位置決めして配置していける。特に、散水孔が形成された位置の管内面が内側に向かって突出形状で、散水孔の管内面側の開口が突出形状の部分に形成されていることになれば、カスやごみ等が沈殿していくところは散水孔の開口から外れるため、散水孔の詰まりが生じてしまうことを軽減できる。
【図面の簡単な説明】
【００１２】
【図１】本発明の実施の形態にかかる散水管を示した図である。
【図２】図１のＩＩ−ＩＩラインを見た拡大断面図である。
【図３】図１及び図２の散水管同士を繋ぐ継手を示した図である。
【図４】図３のＩＶ−ＩＶライン断面図であり
【図５】図４のＶの方向から見た図である。
【図６】既存の円形パイプと図１及び図２の散水管１とを繋ぐ継手を示した図である。
【図７】図６のＶＩＩ方向から見た図である。
【図８】図７のＶＩＩＩ方向から見た図である。
【図９】図７のＩＸ方向から見た図である。
【発明を実施するための形態】
【００１３】
図１は本発明の実施の形態にかかる散水管を示した図であり、図２は図１のＩＩ−ＩＩラインで見た拡大断面図である。
【００１４】
散水管１は、長手方向にわたって断面全体としては略四角形であり、例えば長さが３〜４メートルサイズで、例えば２つの散水孔３が形成されている。図１では、Ｌ１が１メートル、Ｌ２が２メートルとしている。図２では、Ｌ３は４０ミリとしている。
【００１５】
なお、断面形としては、円形でなければ、多角形等であってもよく、角に丸みがある等の形であってもよいが、少なくとも散水孔３が形成される位置を含む部分については平面部分２が形成されている必要がある。
【００１６】
また、この平面部分２は散水管１の長手方向にわたって形成されてもよく、散水孔３が形成されている付近だけであってもよい。
【００１７】
このように、平面部分２があることにより、その平面部分２を例えば水平にすれば散水孔３の位置を真下に向ける等を簡単に行える。これより、散水孔３の位置決めを容易にしながら、複数の散水管１であっても適切な配管を行って、それぞれの散水孔３の適切な位置決めにより予定していたエリアでの散水を的確に行える。
【００１８】
次に、散水管１の内部について説明する。散水管１の内部側の散水孔３の開口３ａは外に水を散水するために散水管１の内部に流れる水を受け入れ、散水管１の外側の散水孔３の開口に向かって水を図示しないポンプの力によって送り出している。なお、ここでの散水孔３は、一例として、内部を水が通過するボルト形状の形をしており、散水管１の本体と螺合して散水孔３としての機能を果たしている。
【００１９】
散水孔３の散水管１の内部側の開口３ａは、散水孔３が形成される位置に対応して管の内側に向けて突出した突出形状部分５の側方側だがほぼ頂点位置に形成されている。
【００２０】
なお、この突出形状部分５は、断面が半円等の隆起させた形状でもよく、断面が四角柱状や台形状等であってもよい。
【００２１】
また、散水管１の長さ方向に沿って突出形状部分５を形成してもよく、散水孔３の位置に対応する部分のみに突出形状部分５を形成してもよい。
【００２２】
さらに、突出形状部分５が断面において左右が対象である必要はない。
【００２３】
さらに、開口３ａが突出形状部分５の厳密な意味で頂点位置に形成されず、裾野の位置等に形成されてもよい。
【００２４】
このような突出形状部分５を形成することにより、以下の利点がある。ゴミやカス等７はポンプからの供給による水の流れが止まった以降には、散水管１内部の最下点に向けて沈殿していくことなる。この沈殿場所は、散水管１が断面円形だとすると、開口３ａが形成されている最下点の１点になり、ゴミやカス等７がその最下点の１点に集まり、開口３ａが詰まることになる。これに対し、図２のような構造とすることにより、開口３ａには、ゴミやカス等７が沈殿していくことを抑えており、詰まりの軽減が図られている。その結果、継続した使用であればあるほど、開口３ａの詰まり軽減の効果が効いてきて、予定した散水エリアへの散水が長期に行えることに加え、メンテナンスの負担を軽減できる。
【００２５】
以上のことをまとめる。平面部分２があることによって散水孔３の位置決めを適切に行って配管を適切に行えることにより、当初から予定する散水エリアへの散水を適切に行える。加えて、開口３ａが形成される突出形状部分５があることによって、散水孔３の詰まり軽減を実現でき、長期にわたって予定する散水エリアへの散水を適切に継続して行える。その結果、詰まりを取り除くためのメンテナンス負担の軽減も図ることができるようになる。
【００２６】
図３は図１及び図２の散水管同士を繋ぐ継手を示した図であり、図４は図３のＩＶ−ＩＶライン断面図であり、図５は図４のＶの方向から見た図である。
【００２７】
継手１１は、散水管１同士を繋ぐものである。継手１１には、着脱可能な状態の散水管１が両側から挿入されて装着できるような寸法となっている。固定については、ボルト等による締結が上方に位置する締結位置９により行われて可能となっている。また、フック昨日１０を有して、吊り下げることもできるようにしている。
【００２８】
寸法については、Ｌ３が散水管１の寸法であり、Ｌ４は散水管１が挿入されすぎないようにＬ３よりも少し小さい寸法になっている。Ｌ５はＬ３よりも少し大きく、これにより散水管１を挿入し易いようにしている。Ｌ６はＬ５よりも少し大きく、その大きさの分だけ空間ができるので、挿入される散水管１につけられた接着剤等が溜まる余裕を持たせている。Ｌ７、Ｌ８については、Ｌ６よりも大きなもとしている。
【００２９】
このような継手１１を用いることにより、散水管１同士を繋いでいける。
【００３０】
図６は既存の円形パイプと図１及び図２の散水管１とを繋ぐ継手を示した図であり、図７は図６のＶＩＩ方向から見た図であり、図８は図７のＶＩＩＩ方向から見た図であり、図９は図７のＩＸ方向から見た図である。
【００３１】
継手１３は、散水管１と円形パイプを繋ぎものである。円形パイプとしては、ポンプ等の既存の設備に繋がっているパイプを想定している。但し、既存の円形パイプからなる配管された状態で、散水管も円形パイプを用いており、その円形の散水管と図１及び２の散水管１とを交換する際に、できるだけ既存設備を残す方針であった場合には、この継手１３は有効に利用される継手となる。なお、Ｌ３〜Ｌ８のサイズについては、説明を省略する。Ｌ９は繋がれる円形パイプの径で決まるものである。
【符号の説明】
【００３２】
１・・・散水管
２・・・平面部分
３・・・散水孔
５・・・突出形状部分
１１・・・継手
１３・・・継手
【図１】
2016021896.tif 000003
【図２】
2016021896.tif 000004
【図３】
2016021896.tif 000005
【図４】
2016021896.tif 000006
【図５】
2016021896.tif 000007
【図６】
2016021896.tif 000008
【図７】
2016021896.tif 000009
【図８】
2016021896.tif 000010
【図９】
2016021896.tif 000011